(57)【要約】【課題】所定の補正条件が満たされることを条件に、予め作成したスケジュール表におけるスケジュール時間区分通りに記載事項を分けることなく、筆記内容がどのスケジュール行事中に作成されたのかを補正して対応付けることができる。【解決手段】電子筆記装置２０から送信されたストロークデータを、対応する時刻情報とともにノートＰＣ１０で取得し、取得したストロークデータを対応する時刻情報に沿って、スケジュール表の複数の時間区分のうち該当する１つの区分への記載事項に対応付ける区分処理手順（ステップＳＳ３）と、ノートＰＣ１０で取得したストロークデータが、隣接する前の時間区分と後の時間区分とに跨っている場合に、所定の補正条件が満たされることを契機に、前の時間区分及び後の時間区分のうちいずれか一方のみへの記載事項に対応付けを補正する補正処理手順（ステップＳＳ４）と、を実行させる。【選択図】図６
2015114699.tif 000002
【特許請求の範囲】
【請求項１】
被筆記媒体に対する操作者の筆記動作に伴って移動する筆記具の複数の位置データと各位置データを検出した時刻情報とを取得する電子筆記装置に対し情報送受信可能に接続され、操作手段と、演算手段と、予め定められた複数の時間区分毎に記載事項を設定可能なスケジュール表を表示する表示手段と、を備えた処理端末の前記演算手段に対し、
前記電子筆記装置から送信された複数の位置データ、若しくは、前記複数の位置データを用いて生成され前記筆記具による前記被筆記媒体への記載に対応した第１画像データを、対応する前記時刻情報とともに取得する情報取得手順と、
前記情報取得手順で取得された前記複数の位置データより生成され前記筆記具による前記被筆記媒体への記載に対応した第２画像データ、若しくは、前記情報取得手順で取得された第１画像データを、前記情報取得手順で取得された対応する前記時刻情報に沿って、前記スケジュール表の前記複数の時間区分のうち該当する１つの時間区分への記載事項に対応付ける、区分処理手順と、
前記情報取得手順で取得された一連の複数の位置データ若しくは一連の第１画像データが、前記区分処理手順において第１時間区分と前記第１時間区分の後に隣接する第２時間区分とに跨って対応付けられた場合に、所定の補正条件が満たされることを契機に、前記第１時間区分及び第２時間区分のうちいずれか一方のみへの記載事項に対応付けるよう、対応付けを補正する補正処理手順と、
を実行させるための、筆記データ処理プログラム。
【請求項２】
請求項１記載の筆記データ処理プログラムにおいて、
一連の複数の位置データ若しくは一連の第１画像データは、前記区分処理手順で前記第１時間区分に対応付けられる第１データと前記第２時間区分に対応付けられる第２データとを含んでおり、
前記補正処理手順は、
前記第２データの前記時刻情報が、前記第１時間区分の時間終了後の第１時間範囲内であり、かつ、当該第２データのうち最前のデータの前記時刻情報と前記第１データのうち最後のデータの前記時刻情報との時間差が、所定間隔以内であった場合には、前記第１データ及び前記第２時間区分における前記第２データ内の時間差が所定間隔以内の前記第２データをまとめて前記第１時間区分への記載事項に対応付ける
ことを特徴とする筆記データ処理プログラム。
【請求項３】
請求項１記載の筆記データ処理プログラムにおいて、
一連の複数の位置データ若しくは一連の第１画像データは、前記区分処理手順で前記第１時間区分に対応付けられる第３データと前記第２時間区分に対応付けられる第４データとを含んでおり、
前記補正処理手順は、
前記第４データの前記時刻情報が、前記第１時間区分の時間終了後の第１時間範囲内であり、かつ、当該第４データのうち最前のデータの前記時刻情報と前記第３データのうち最後のデータの前記時刻情報との時間差が、所定間隔を超えており、かつ、前記第２時間区分における前記第１時間範囲内に前記記載事項が設定されていない場合には、前記第３データ及び前記第２時間区分における前記第４データ内の時間差が所定間隔以内の前記第４データをまとめて前記第１時間区分への記載事項に対応付ける
ことを特徴とする筆記データ処理プログラム。
【請求項４】
請求項１記載の筆記データ処理プログラムにおいて、
一連の複数の位置データ若しくは一連の第１画像データは、前記区分処理手順で前記第１時間区分に対応付けられる第５データと前記第２時間区分に対応付けられる第６データとを含んでおり、
前記補正処理手順は、
前記第５データの前記時刻情報が、前記第２時間区分の時間開始前の第２時間範囲内であり、かつ、前記第１時間区分における前記第２時間範囲内に前記記載事項が設定されていない場合には、前記第５データ及び前記第６データをまとめて前記第２時間区分の記載事項に対応付ける
ことを特徴とする筆記データ処理プログラム。
【発明の詳細な説明】
【技術分野】
【０００１】
本発明は、操作者の手書きによる筆記内容を電子的に入力可能な電子筆記装置を用いた筆記データ処理プログラムに関する。
【背景技術】
【０００２】
近年、操作者の手書きによる筆記内容を電子的に入力可能な電子筆記装置が知られている。この電子筆記装置は、操作者が、電子ペンや電子パネル等の電子筆記具を用いて、手書きの所望の文字列等を認識して筆記データを生成するものである。
【０００３】
また、このような電子筆記装置には、液晶表示部の表示画面に予め作成したスケジュールを表示させるとともに、所定のキー操作によりメモ入力画面を表示させ、手書き入力した筆記内容を画像データとしてそのまま予め作成したすけージュールに関連付けして表示することにより、定形的なデータ（スケジュール表）に対して不定形なデータ（筆記内容の画像データ）を簡単に付加してメモ的データとして取り扱うことができるようにしたものが知られている（例えば、特許文献１参照）。
【先行技術文献】
【特許文献】
【０００４】
【特許文献１】特開平０８−０９５９２６号公報
【発明の概要】
【発明が解決しようとする課題】
【０００５】
しかしながら、上述した電子筆記装置は、例えば、近年のスマートフォンやタブレット端末などのように、定形的なデータ（スケジュール表）に対して不定形なデータ（筆記内容の画像）を簡単に付加（又は削除）してメモ的データとして取り扱うものであった。
【０００６】
すなわち、上述した電子筆記装置は、同一の端末において同一のスケジュールアプリケーションを用い、単にメモ書き領域にメモ書きした内容をそのまま画像データとして貼り付けるだけであった。
【０００７】
したがって、上述した特許文献のように、事前の単なるメモ（例えば、「資料用意」）を直接入力して画像データとしてスケジュールに関連付けするのは容易であるが、議事録的な長文等を、しかも、後から追加することはできなかった。
【０００８】
そこで、事前に作成したスケジュールに対して、メモ的な短文や議事録的な長文の何れであっても、実際のスケジュール行事中に作成した文章等の記載事項を電子筆記装置からＰＣのスケジュールアプリケーションに直接関連付けして記憶することができれば、汎用性に優れるとともに、利便性を向上することができる。
【０００９】
この際、実際のスケジュール、例えば、会議等にあっては、予定開始時間が早まったり、予定終了時間よりもオーバーするといったように、スケジュール時間が前後の時間区分にまたがってしまう場合が想定される。
【００１０】
したがって、単に、予めＰＣ側で作成したスケジュールの時間区分通りに電子筆記装置で作成した筆記内容をＰＣのスケジュールアプリケーションに紐付けしたのでは、記載事項が２つの時間区分にまたがって分断されてしまうという問題が想定される。
【００１１】
本発明の目的は、所定の補正条件が満たされることを条件に、予め作成したスケジュール表におけるスケジュール時間区分通りに記載事項を分けることなく、筆記内容がどのスケジュール行事中に作成されたのかを補正して対応付けることができる筆記データ処理プログラムを提供することにある。
【課題を解決するための手段】
【００１２】
上記目的を達成するために、本願発明の筆記データ処理プログラムは、被筆記媒体に対する操作者の筆記動作に伴って移動する筆記具の複数の位置データと各位置データを検出した時刻情報とを取得する電子筆記装置に対し情報送受信可能に接続され、操作手段と、演算手段と、予め定められた複数の時間区分毎に記載事項を設定可能なスケジュール表を表示する表示手段と、を備えた処理端末の前記演算手段に対し、前記電子筆記装置から送信された複数の位置データ、若しくは、前記複数の位置データを用いて生成され前記筆記具による前記被筆記媒体への記載に対応した第１画像データを、対応する前記時刻情報とともに取得する情報取得手順と、前記情報取得手順で取得された前記複数の位置データより生成され前記筆記具による前記被筆記媒体への記載に対応した第２画像データ、若しくは、前記情報取得手順で取得された第１画像データを、前記情報取得手順で取得された対応する前記時刻情報に沿って、前記スケジュール表の前記複数の時間区分のうち該当する１つの時間区分への記載事項に対応付ける、区分処理手順と、前記情報取得手順で取得された一連の複数の位置データ若しくは一連の第１画像データが、前記区分処理手順において第１時間区分と前記第１時間区分の後に隣接する第２時間区分とに跨って対応付けられた場合に、所定の補正条件が満たされることを契機に、前記第１時間区分及び第２時間区分のうちいずれか一方のみへの記載事項に対応付けるよう、対応付けを補正する補正処理手順と、を実行させることを特徴とする。
【００１３】
本願発明の処理端末は、電子筆記装置に対し情報送受信可能に接続されている。電子筆記装置において、操作者が、適宜の被筆記媒体に対し筆記具を用いて所望の記載を行うと、筆記動作により移動する筆記具の複数の位置データが取得される。そして、その取得された複数の位置データ（又は、その複数の位置データに基づき生成された、上記被筆記媒体への記載に対応した第１画像データ）が電子筆記装置から送信されると、処理端末において実行される情報取得手順で、当該複数の位置データ（又は上記第１画像データ）が対応する時刻情報とともに取得される。
【００１４】
一方このとき、処理端末では、表示手段にスケジュール表が表示可能となっている。このスケジュール表には、予め定められた複数の時間区分毎に、所望の記載事項が設定される。
【００１５】
そして、前述のようにして情報取得手順で複数の位置データ（又は上記第１画像データ）が取得されると、区分処理手順で、その複数の位置データに基づき生成された上記被筆記媒体への記載に対応した第２画像データ（又は上記第１画像データ）が、前述のようにして併せて取得された対応する時刻情報に沿って、該当する上記スケジュール表の１つの時間区分の記載事項（例えば、当該時間区分での予定事項）に対応付けられる。
【００１６】
これにより、予め上記スケジュール表の各時間区分に記載されている予定事項に対し、当該時間区分にリアルタイムに電子筆記装置において筆記した筆記内容を表す電子データが自動的に対応付けられる。これにより、操作者は、当該スケジュール表における予定事項を記載した各時間区分において例えば適宜の操作を行うだけで、対応する自らの筆記内容を時間区分ごとに抜き出して確認することができる。
【００１７】
ここで、上記のようにして時間区分ごとの予定事項に対応して筆記を行うとき、その予定事項が終了時間で終わらずに本来の時間区分からオーバーして次の時間区分の最初のあたりまで延びてしまったり、あるいは、予定事項が開始時間よりも早く始まって本来の時間区分より前の時間区分の最後あたりから開始される、等により、その予定事項に対応した筆記内容が２つの時間区分にまたがってしまう場合があり得る。
【００１８】
しかしながら、上記のように、区分処理手順で、筆記内容と１つの時間区分とを時刻情報によって厳密に対応付ける場合には、上記のように本来は１つの予定事項に係わる一連の筆記内容であるにも係わらず、隣接する２つの時間区分の境目で分断され、一方が２つの時間区分のうちの第１時間区分、他方がその第１時間区分の後の第２時間区分、にそれぞれ分かれて対応付けられてしまい、不便である。
【００１９】
そこで本願発明においては、上記を是正するために、補正処理手順が設けられる。この補正処理手順では、所定の補正条件が満たされることを条件に、上記のように第１時間区分と第２時間区分とに分けることなく、それらのうちいずれか一方の記載事項にのみ対応付けるよう、上記区分処理手順でなされた対応付けの補正が行われる。
【００２０】
これにより、例えば前述のように予定事項が本来の第１時間区分からオーバーして次の第２時間区分まで延びた場合には、終了までに記載した記載内容をまとめて第１時間区分の記載事項に関連づけることができる。
【００２１】
あるいは、予定事項が本来の第２時間区分より早くその前の第１時間区分から開始された場合には、終了までに記載した記載内容をまとめて第２時間区分の記載事項に関連づけることができる。この結果、前述の不便を解消し、操作者の利便性を向上することができる。
【発明の効果】
【００２２】
本発明によれば、所定の補正条件が満たされることを条件に、予め作成したスケジュール表におけるスケジュール時間区分通りに記載事項を分けることなく、筆記内容がどのスケジュール行事中に作成されたのかを補正して対応付けることができる。
【図面の簡単な説明】
【００２３】
【図１】本発明の一実施形態の筆記データ処理プログラムに適用される筆記データ処理システムを表す概略構成図である。
【図２】本発明の一実施形態の筆記データ処理プログラムに適用される筆記データ処理システム上のパーソナルコンピュータの電気的構成を表す機能ブロック図である。
【図３】本発明の一実施形態の筆記データ処理プログラムに適用される電子筆記装置を示す斜視図である。
【図４】本発明の一実施形態の筆記データ処理プログラムに適用される電子筆記装置の電気的構成を示すブロック図である。
【図５】本発明の一実施形態でのスケジュール表の説明図である。
【図６】本発明の一実施形態での議事録作成時において、パーソナルコンピュータ及び電子筆記装置で実行される操作手順を表すタイムチャートである。
【図７】本発明の一実施形態での記載事項の補正例の説明図である。
【発明を実施するための形態】
【００２４】
以下、本発明の一実施形態を図面を参照しつつ説明する。
【００２５】
＜システム概略＞
図１に示すように、本実施形態の筆記データ処理プログラムに適用される筆記データ処理システム１は、パーソナルコンピュータ（以下、単に「ノートＰＣ」と称する。）１０と、操作者の筆記動作を検出する電子筆記装置２０と、を有する。
【００２６】
ノートＰＣ１０は、液晶ディスプレイ等の表示部１１と、例えば、キーボードやマウス（図示せず）等からなる操作部１２と、を有している。また、本実施形態の筆記データ処理システム１に使用されるノートＰＣ１０は、例えば、市販のスケジュールアプリケーションのスケジュール表、市販のデータベースアプリケーションを用いて作成したスケジュール表、インターネット回線ＮＷ上のサイトに公開されているサイトスケジュール表など、各種スケジュール表を用いて表示部１１に表示することができるとともに、予め操作者の予定をスケジュール表に記入し記憶することができるようになっている。
【００２７】
なお、以下の説明においては、市販のスケジュールアプリケーションを用いた場合で説明する。この際、スケジュールアプリケーションは、少なくとも、日付毎に所望の時間区分（例えば、１４時〜１５時３０分）で区切ったスケジュール予定（例えば、打ち合せ）と、そのスケジュール予定に関する任意のスケジュール項目（例えば、要件、場所、面会相手など）等の記載事項と、を予め操作部１２で入力し、スケジュール表として展開して表示部１１に表示することができるようになっている。
【００２８】
したがって、スケジュールアプリケーションは、上述した時間区分、スケジュール予定、スケジュール項目等の記載事項（以下、これらを総称して単に「スケジュール」と称する。）を、互いに関連付けした相関テーブル形式でノートＰＣ１０に保存させるスケジュール表フォーマットデータを有する。また、スケジュールアプリケーションは、ノートＰＣ１０の操作部１２による文字入力機能及び内臓タイマ（時刻情報）による日時取得機能を用いて予め作成されたスケジュールが存在するか否かの情報を、電子筆記装置２０の要求に応じて無線通信インターフェース（例えば、ＷｉＦｉ、ＷｉＦｉダイレクト、ＢｌｕｅＴｏｏｔｈ（登録商標）等）を用いて送信する機能を有する。
【００２９】
また、電子筆記装置２０は、無線通信インターフェースを有するとともに、操作者の筆記動作を検出する機能を有し、手書き入力された文字をＯＣＲ機能により文字認識を可能としている。したがって、本実施形態の筆記データ処理システム１に使用される電子筆記装置２０は、無線通信インターフェースを用いてノートＰＣ１０と相互にデータの送受信を可能としている。
【００３０】
具体的に、ノートＰＣ１０は、図２に示すように、後述するスケジュール表を表示する表示部１１と、操作者により指示や情報を入力するキーボード等の操作部１２と、演算手段としてのＣＰＵ１３と、ＣＰＵ１３で処理する本発明の筆記データ処理プログラム及びスケジュールアプリケーションを含むコンピュータプログラムを記憶した大容量記憶媒体（ハードディスクドライブ）であるＨＤＤ１４と、一次記憶データを記憶するＲＡＭ１５と、第１アンテナ１５Ａを介して中継局３０を経由してインターネット回線ＮＷと各種データや信号の送受信を行うデータ送受信部１６と、第２アンテナ１５Ｂを介して電子筆記装置２０と無線通信インターフェースを用いて相互無線通信を行う通信制御部（情報取得部）１７と、を有する。
【００３１】
＜電子筆記装置２０の概略構成＞
本実施形態の電子筆記装置２０の概略構成を図３により説明する。以下の説明では、図３の左上側、右下側、上側、下側、右上側、及び左下側を、電子筆記装置２０の左側、右側、上側、下側、後側、及び前側として説明する。
【００３２】
図３において、電子筆記装置２０は、公知の電磁誘導式の電子筆記具に相当する電子ペン２１を用いた操作者の筆記動作を検出する。つまり、操作者が電子ペン２１を用いて、電子筆記装置２０の筐体２２Ｌ，２２Ｒに装着された被筆記媒体２３に情報を筆記した際に、電子ペン２１の位置を経時的に検出し電子化する、薄型軽量の手書き入力装置である。
【００３３】
図３に示すように、電子筆記装置２０は、複数のページを備える被筆記媒体２３を保持する筐体２２Ｌ，２２Ｒを有する。この筐体２２Ｌ，２２Ｒは、各々、樹脂製の矩形薄板状であり、左右方向に見開いた状態と、内側に折り畳んだ状態（図示せず）とに配置を変更可能である。一方の筐体２２Ｌは、第１センサ２４Ｌ（後述の図４参照）等を収容している。他方の筐体２２Ｒは、第２センサ２４Ｒ（後述の図４参照）等を収容している。
【００３４】
被筆記媒体２３は、複数枚の用紙２５が左右方向に見開き可能に綴じられ、各用紙２５は裏表両面を各ページとして筆記可能となっている。
【００３５】
＜電子筆記装置２０の電気的構成＞
図４を用いて電子筆記装置２０の電気的構成を説明する。電子筆記装置２０は、メイン基板２６、第１センサ２４Ｌ、第２センサ２４Ｒ、及びセンサ制御基板２７，２８を主に備える。メイン基板２６、第１センサ２４Ｌ、及びセンサ制御基板２７は筐体２２Ｌ内に設けられ、第２センサ２４Ｒ、及びセンサ制御基板２８は筐体２２Ｒ内に設けられる。
【００３６】
メイン基板２６は、ＣＰＵ２６Ａ、フラッシュＲＯＭ２６Ｂ、ＲＡＭ２６Ｃ、及び無線通信部２６Ｄ、タイマ２６Ｅ，操作部２６Ｆを備えている。ＣＰＵ２６Ａは、電子筆記装置２０の制御を行う。フラッシュＲＯＭ２６Ｂには、ＣＰＵ２６Ａが電子筆記装置２０を制御するために実行する各種プログラムが記憶されている。また、フラッシュＲＯＭ２６Ｂには、電子ペン２１の筆記動作に伴って移動する、電子ペン２１の複数の位置情報であるストロークデータが筆記内容を表す電子データとして記憶される。タイマ２６Ｅは、現在時刻として
電子筆記装置２０を利用した筆記内容を表す電子データとしてのストロークデータは、第１センサ２４Ｌ及び第２センサ２４Ｒによって経時的に検出された電子ペン２１の複数の位置情報（例えば、座標情報）によって、用紙２５に筆記する電子ペン２１の移動軌跡をストロークデータ生成手段としてのＣＰＵ２６Ａで特定する。
【００３７】
さらに、フラッシュＲＯＭ２６Ｂには、用紙２５に設けられたページ識別領域（図示せず）を電子ペン２１で横切るように走査する際に、電子ペン２１の移動軌跡を示すストロークデータとともに、移動に伴う経過時間の時間データが記憶される。また、フラッシュＲＯＭ２６Ｂには、用紙２５に設けられたページ識別領域を電子ペン２１で横切るように走査する際に想定される電子ペン２１の移動態様とページ番号とを対応付けた相関テーブル形式で記憶するようになっている。ＲＡＭ２６Ｃは、演算データ等の各種データを一時的に記憶する。無線通信部２６Ｄは、外部の電子機器と近距離無線通信を実行するためのコントローラである。
【００３８】
第１センサ２４Ｌ及び第２センサ２４Ｒは、Ｘ軸方向（左右方向）及びＹ軸方向（上下方向）の各々に、所定の間隔で列設された複数の細長いループコイルを備える。第１センサ２４Ｌは、センサ制御基板２７のＡＳＩＣ２７Ｌに電気的に接続されている。
【００３９】
ＡＳＩＣ２７Ｌは、第１センサ２４Ｌを制御して、後述するスキャンを実行させる。ＡＳＩＣ２７Ｌは、図示しないが、それぞれ電力切替回路、増幅回路、及び整流回路を含む。電力切替回路は、第１センサ２４Ｌへの電力の供給をオン又はオフにする。増幅回路は、第１センサ２４Ｌから入力される信号を増幅する。整流回路は、増幅回路から入力された信号を振幅検波した後、平滑化して直流信号に変換する。マスター側であるＡＳＩＣ２７Ｌは、ＣＰＵ２６Ａに直接接続されている。
【００４０】
同様に、第２センサ２４Ｒは、センサ制御基板２８のＡＳＩＣ２８Ｒに電気的に接続されている。ＡＳＩＣ２８Ｒは、図示しないが、それぞれ電力切替回路、増幅回路、及び整流回路を含む。ＡＳＩＣ２８Ｒは、第２センサ２４Ｒを制御する。スレーブ側であるＡＳＩＣ２８Ｒは、ＡＳＩＣ２７Ｌを介してＣＰＵ２６Ａに接続されている。
【００４１】
第１センサ２４Ｌ及び第２センサ２４Ｒが電子ペン２１の位置を検出する動作（以下、この動作を単に「スキャン」ともいう。）の原理を、概略的に説明する。ＣＰＵ２６ＡはＡＳＩＣ２７Ｌ，２８Ｒを制御して、第１センサ２４Ｌ及び第２センサ２４Ｒの各々のループコイルに、一本ずつ特定の周波数の電流（励磁用送信電流）を流す。これにより、第１センサ２４Ｌ及び第２センサ２４Ｒの各々のループコイルから磁界が発生する。この状態で、例えば操作者が電子ペン２１を用いて情報入力装置２に装着された被筆記媒体２３の用紙２５に情報を記入すると、電子ペン２１が第１センサ２４Ｌ又は第２センサ２４Ｒに近接する。そのため、電子ペン２１の共振回路は電磁誘導によって共振し、誘導磁界を生じる。
【００４２】
次に、ＡＳＩＣ２７Ｌ，２８Ｒは、各々第１センサ２４Ｌ及び第２センサ２４Ｒのループコイルからの磁界の発生を停止させる。さらに、電子ペン２１の共振回路から発せられる誘導磁界を、第１センサ２４Ｌ及び第２センサ２４Ｒの各々のループコイルで受信する。ＣＰＵ２６Ａは、第１センサ２４Ｌ及び第２センサ２４Ｒの各々のループコイルに流れる信号電流（受信電流）を検出する。この動作が全てのループコイルについて一本ずつ実行され、電磁誘導によって発生した信号は、ＡＳＩＣ２７Ｌ，２８Ｒによって増幅、振幅検波された後、検出結果として随時ＣＰＵ２６Ａに入力される。ＣＰＵ２６Ａは、入力された信号を振幅、即ち電圧値に対応したデジタル信号に変換し、デジタル信号に基づいて電子ペン２１を検出したセンサを特定後、電子ペン２１の位置を検出する。
【００４３】
ここで、電子ペン２１が用紙２５に情報を記入している状態では、電子ペン２１に筆圧が付与され、その筆圧に応じて、電子ペン２１の内部のコイル（図示せず）のインダクタンスが変化する。これにより、電子ペン２１の共振回路の共振周波数が変化する。
【００４４】
ＣＰＵ２６Ａは、この共振周波数の変化（位相変化）を検出して、電子ペン２１に付与された筆圧を特定する。つまりＣＰＵ２６Ａは、電子ペン２１から特定した筆圧によって、用紙２５に情報が記入されているか否かを判断できる。ＣＰＵ２６Ａは、用紙２５に情報が記入されていると判断した場合、ストロークデータを取得して、フラッシュＲＯＭ２６Ｂに保存する。この際、ＣＰＵ２６Ａは、上述した電子ペン２１の移動に伴う経過時間の時間データとは別に、用紙２５に情報の記入を開始及び終了した年月日時分秒の全ての時間情報をタイマ２６Ｅから取得し、ストロークデータと関連付けしてフラッシュＲＯＭ２６Ｂに保存する。
【００４５】
このように、本実施形態における電子筆記装置２０は、電子ペン２１による筆記動作に伴って移動する電子ペン２１の複数の位置情報を取得する位置情報取得手段として第１センサ２４Ｌ及び第２センサ２４Ｒを備えている。
【００４６】
また、本実施形態における電子筆記装置２０は、第１センサ２４Ｌ及び第２センサ２４Ｒによってストロークデータを生成するストロークデータ生成手段としてのＣＰＵ２６Ａを有する。
【００４７】
このように、電子筆記装置２０は、電子ペン２１を用いて用紙２５に記入した情報は、ストロークデータとして公知の識別機能を利用して識別され、さらに、公知のＯＣＲ機能を用いて文字認識することもできる。
【００４８】
本実施形態においては、このストロークデータは、単に位置データとして識別した状態（極短間隔での多数の座標データがつながっていない集合体の状態）の画像データ（第２画像データ）として、又は、公知のＯＣＲ機能を用いて文字認識したテキストデータ（第１画像データ＝筆記内容）として、それぞれフラッシュＲＯＭ２６Ｂに保存される。この際、ＣＰＵ２６Ａは、画像データ又はテキストデータと上述した用紙２５に情報の記入を開始及び終了した年月日時分秒の全ての時間情報とを関連付けしてフラッシュＲＯＭ２６Ｂに保存する。また、ストロークデータをテキストデータに変換した場合には、変換後の各文字の記入開始時及び終了時の時間情報のみを関連付けする。
【００４９】
なお、電子ペン２１の具体的な構成や用紙２５等を用いたストロークデータ又はテキストデータの生成機能（ＯＣＲ機能）は公知のものを用いることができるため、ここではその詳細な説明は省略する。
【００５０】
次に、図５を用いて、ノートＰＣ１０に記憶したスケジュール表データフォーマットに基づくスケジュール表４０の一例を説明する。
【００５１】
ノートＰＣ１０の表示部１１には、日付単位、週単位、月単位のスケジュール予定を記入し、タブ形式で日付単位、週単位、月単位の表示に切り替えられるようになっている。
【００５２】
本実施形態のスケジュール表４０は、例えば、日付単位であれば、縦方向に時間軸が割り当てられ、スケジュール内容としての件名、場所、開始年月日と時刻、終了年月日と時刻、要件（簡易メモ）、とをスケジュール項目として設定することができるようになっている。
【００５３】
そして、設定したスケジュール項目は、該当する年月日の日付単位、週単位、月単位のスケジュール表に、適宜省略等の処理をして（例えば、月単位では場所や終了時刻を省略）割り当てられ、各タブの選択により適宜フォーマットのスケジュール表として表示される。
【００５４】
日付単位（又は週単位）の表示では、時間軸とスケジュール項目の開始時間及び終了時間とを対応させて時間区分を割り当て、その時間区分ごとにスケジュール項目等の記載事項を表示するスケジュール表示エリア４１を有する。
【００５５】
具体的には、２０１３年４月８日（月）のスケジュール表示エリア４１には、第１のスケジュールとして、１０：００〜１２：００の時間区分にＡＢＣ社の商品開発部の山田部長との打ち合わせが予定され、第１スケジュールエリア４１Ａに表示されている。また、第２のスケジュールとして１３：００〜１４：００の時間区分にＸＹＺ工業の営業部の鈴木様の来客が予定され、第２スケジュールエリア４１Ｂに表示されている。さらに、第３のスケジュールとして１４：００〜１６：００の時間区分に新商品の社内打ち合せが予定され、第３スケジュールエリア４１Ｃに表示されている。したがって、１０：００以前、１２：００〜１３：００、１６：００以降は予定がない状態（例えば、移動時間、昼休み、実務時間等）となっている。
【００５６】
また、スケジュール表４０には、上述したこれらスケジュール項目に関連する記載事項を表示するスケジュール表示エリア４１とは別に、当日のスケジュール行動を行っている際に、電子筆記装置２０を用いて作成した筆記内容（当日作成メモ内容）を表示する当日メモ表示エリア４２が設けられている。この当日メモ表示エリア４２は、例えば、各時間区分に対応するスケジュール項目を設定する画面において、該当するものが表示される。
【００５７】
これにより、当日メモ表示エリア４２には、例えば、当日や翌日に、その３つのスケジュール行動時に電子筆記装置２０を用いて作成した筆記内容（当日作成メモ内容）を、フラッシュＲＯＭ２６Ｂから呼び出し、画像データ又はテキストデータとタイマ２６Ｅから取得した用紙２５に情報を記入した時刻（日時分秒）とを関連付けしてノートＰＣ１０に送信することでテキストデータ等として該当する時間区分に表示させることができる。
【００５８】
次に、上述した当日メモ表示エリア４２に、該当するスケジュール行動時に電子筆記装置２０を用いて作成した筆記内容（当日作成メモ内容）をテキストデータとして表示する際のルーチンを図６を用いて説明する。
【００５９】
まず、ノートＰＣ１０のＣＰＵ１３は、ノートＰＣ１０のスケジュール表４０を利用して操作者が予め作成したスケジュール内容をＨＤＤ１４に記憶する（ステップＳＳ１）。
【００６０】
次に、操作者が電子筆記装置２０を用い、例えば、スケジュール行動に伴う打ち合わせ内容（議事録）を筆記内容として作成すると、ＣＰＵ２６Ａは、その筆記内容であるストロークデータを、公知のＯＣＲ機能を用いて文字認識したテキストデータ（第１画像データ）として、フラッシュＲＯＭ２６Ｂに保存する。なお、図形や文字認識できなかったストロークデータはそのまま画像データとしてフラッシュＲＯＭ２６Ｂに保存する（ステップＳＴ１）。
【００６１】
そして、操作者は、例えば、その日の全てのスケジュール行事が終了すると、上記３つのスケジュール行事中に作成した筆記内容をノートＰＣ１０に送信する作業を行う。具体的には、電子筆記装置２０の操作部２６Ｆを操作して送信を実行すると、ＣＰＵ２６Ａは、ノートＰＣ１０との接続関係を確立するための問い合わせを行う（ステップＳＴ２）。
【００６２】
これを受けて、ノートＰＣ１０のＣＰＵ１３は、スケジュールアプリケーションを起動するとともに、無線通信インターフェースを用いて電子筆記装置２０に回答する（ステップＳＳ２）。この際、ノートＰＣ１０のＣＰＵ１３は、内臓タイマの現在時刻を参照し、表示部１１に当日（本日）の予定表を表示する。
【００６３】
次に、電子筆記装置２０のＣＰＵ２６Ａは、ノートＰＣ１０の接続が確立した場合、メモ内容のスキャンを実行する（ステップＳＴ３）。
【００６４】
さらに、電子筆記装置２０のＣＰＵ２６Ａは、スキャンした内容からストロークデータを生成し、さらにその生成したストロークデータに基づき、テキストデータ（テキストコード）を生成する（ステップＳＴ４）。
【００６５】
そして、電子筆記装置２０のＣＰＵ２６Ａは、生成したテキストデータ（テキストコード）を無線通信インターフェースを用いてノートＰＣ１０に送信してこのルーチンを終了する（ステップＳＴ５）。
【００６６】
一方、ノートＰＣ１０のＣＰＵ１３は、受信したテキストデータに含まれる時間区分に割り当てる（ステップＳＳ３）。
【００６７】
この際、ノートＰＣ１０のＣＰＵ１３は、例えば、該当する時間区分を超えたテキストデータが含まれている場合、そのテキストデータの時間区分を補正したうえで該当する時間区分の時間区分に割り当てる（ステップＳＳ４）。
【００６８】
さらに、ノートＰＣ１０のＣＰＵ１３は、各時間区分ごとに、その時間区分中に割り当てたテキストデータを合成して時間区分に対応した一つのテキストファイルとする（ステップＳＳ４）。
【００６９】
そして、ノートＰＣ１０のＣＰＵ１３は、各時間区分ごとの各テキストデータを、時間区分に対応させてＨＤＤ１４に記憶（ステップＳＳ５）したうえで、表示部１１に表示したスケジュール表の該当する時間区分の当日メモ表示エリア４２に表示して（ステップＳＳ６）、このルーチンを終了する。
【００７０】
この際、ノートＰＣ１０のＣＰＵ１３は、該当する日付に複数の時間区分が存在する場合、最初の時間区分に該当する当日メモ表示エリア４２に表示する。
【００７１】
次に、上述したステップＳＳ４でのＣＰＵ１３による時間区分の補正例を説明する。
【００７２】
例えば、図７の訪問打ち合わせＡ（第１時間区分  １０：００〜１１：００）と、訪問打ち合わせＢ（第２時間区分  １１：００〜１２：００）とのように、時間を空けずに連続して隣接するスケジュールが入っていた場合に、ノートＰＣ１０のＣＰＵ１３は、区分処理手順（ステップＳＳ３）において、テキストデータ（一連の第１画像データ＝筆記内容）が、例えば、第１時間区分に対応付けられる第１データ（・・・１２３４５６７）と第２時間区分に対応付けられる第２データ（８・・・０）とを含んでいると判定したとする。
【００７３】
そこで、ノートＰＣ１０のＣＰＵ１３は、補正処理手順（ステップＳＳ４）において、第２時間区分の第２データ（８・・・０）の時刻情報が、第１時間区分の時間終了後の第１時間Ｔ１の範囲内であり、かつ、第２データ（８・・・０）のうち最先のデータ（８）の時刻情報と第１データ（・・・１２３４５６７）のうち最後のデータ（７）の時刻情報との時間差が、所定間隔ｔ以内であった場合には、第１データ（・・・１２３４５６７）及び第２データ（８・・・０）をまとめて第１時間区分への記載事項に対応付けた筆記内容（・・・１２３４５６７８・・・０）とする。
【００７４】
この際、例えば、第１時間Ｔ１は１０分、所定間隔ｔは１０秒に設定されている。また、第２時間区分の次のデータ（ＡＢＣＤ・・・Ｊ）は、第１時間Ｔ１の範囲内ではあるが、直前の最後のデータ、すなわち、補正処理手順（ステップＳＳ４）においてまとめて第１時間区分への記載事項に対応付けた筆記内容（・・・１２３４５６７８・・・０）の最後のデータ（０）から所定間隔ｔを超えている（ｔ＋）ため、第２時間区分の次のデータ（ＡＢＣＤ・・・Ｊ）は第２時間区分内のデータとして対応付ける。
【００７５】
また、ある時間区分の開始時間よりも筆記動作の開始が遅れていた場合（例えば、第１時間区分の１０：０５開始の（１２３４５６７・・・ＡＢＣ・・・））、そのデータはそのまま第１時間区分のデータとして対応付ける。
【００７６】
したがって、ＣＰＵ１３は、第２データ（８・・・０）の時刻情報が第１時間区分終了後の第１時間Ｔ１の範囲内にあるとともに第１データ（・・・１２３４５６７）との時間差が所定間隔ｔであることをもって、第２データ（８・・・０）と第１データ（・・・１２３４５６７）との連続性が失われていない（一体として取り扱うべき）とみなされ、ともに第１時間区分側へ対応付けられる。これにより、予定事項が本来の第１時間区分から次の第２時間区分まで延びた場合にも、記載内容をまとめて第１時間区分の予定事項に関連づけて操作者の利便性を向上することができる。
【００７７】
一方、例えば、図７の訪問打ち合わせＢ（第１時間区分  １１：００〜１２：００）と、予定なし（第２時間区分  １２：００〜１３：００）とのように、隣接する次の予定が入っていない場合に、ノートＰＣ１０のＣＰＵ１３は、区分処理手順（ステップＳＳ３）において、テキストデータ（一連の第１画像データ＝筆記内容）が、例えば、第１時間区分に対応付けられる第３データ（・・・０９８７６５４）と第２時間区分に対応付けられる第４データ（３・・・０）とを含んでいると判定したとする。
【００７８】
このような場合、ノートＰＣ１０のＣＰＵ１３は、補正処理手順（ステップＳＳ４）において、第４データ（３・・・０）の時刻情報が、第１時間区分の時間終了後の第１時間Ｔ１の範囲内であり、かつ、第４データ（３・・・０）のうち最先のデータ（３）の時刻情報と第３データ（・・・０９８７６５４）のうち最後のデータ（４）の時刻情報との時間差が、所定間隔ｔを超えており、かつ、第２時間区分における第１時間範囲内に記載事項が設定されていない（スケジュールなし）の場合には、第３データ（・・・０９８７６５４）及び第４データ（３・・・０）をまとめて第１時間区分への記載事項に対応付けた筆記内容（・・・０９８７６５４３・・・０）とする。
【００７９】
この際、例えば、第１時間Ｔ１は１０分、所定間隔ｔは１０秒に設定されている。また、第２時間区分の次のデータ（ＡＢＣＤ・・・Ｊ）においても、第１時間Ｔ１の範囲内であれば、直前の最後のデータ、すなわち、補正処理手順（ステップＳＳ４）においてまとめて第１時間区分への記載事項に対応付けた筆記内容（・・・０９８７６５４３・・・０）の最後のデータ（０）から所定間隔ｔを超えて（ｔ＋）いない限り、第２時間区分の次のデータ（ＡＢＣＤ・・・Ｊ）は第１時間区分内のデータとして対応付ける。
【００８０】
したがって、ＣＰＵ１３は、第４データ（３・・・０）と第３データ（・・・０９８７６５４）との時間差が所定間隔を超えていたとしても、第４データ（３・・・０）の時刻情報が第１時間区分終了後の第１時間範囲内にあるとともに第１時間範囲内に特に記載事項が設定されていないことをもって、第４データ（３・・・０）と第３データ（・・・０９８７６５４）との連続性が失われていない（一体として取り扱うべき）とみなされ、ともに第１時間区分側へ対応付けられる。これにより、予定事項が本来の第１時間区分から次の第２時間区分まで延びた場合にも、記載内容をまとめて第１時間区分の予定事項に関連づけて操作者の利便性を向上することができる。
【００８１】
同様に、例えば、図７の予定なし（第１時間区分  １２：００〜１３：００）と、来客打ち合わせ（第２時間区分  １３：００〜１４：００）とのように、隣接する前の予定が入っていない場合に、ノートＰＣ１０のＣＰＵ１３は、区分処理手順（ステップＳＳ３）において、テキストデータ（一連の第１画像データ＝筆記内容）が、例えば、第１時間区分に対応付けられる第５データ（ａｂｃｄｅｆ・・・ｉ）と第２時間区分に対応付けられる第６データ（ｊ・・・ｍ）とを含んでいると判定したとする。
【００８２】
このような場合、ノートＰＣ１０のＣＰＵ１３は、補正処理手順（ステップＳＳ４）において、第５データ（ａｂｃｄｅｆ・・・ｉ）の時刻情報が、第２時間区分の時間開始前の第２時間Ｔ２の範囲内であり、かつ、第１時間区分における第２時間Ｔ２の範囲内に記載事項が設定されていない場合には、第５データ（ａｂｃｄｅｆ・・・ｉ）及び第６データ（ｊ・・・ｍ）をまとめて第２時間区分への記載事項に対応付けた筆記内容（ａｂｃｄｅｆ・・・ｉｊ・・・ｍ）とする。
【００８３】
したがって、ＣＰＵ１３は、第５データ（ａｂｃｄｅｆ・・・ｉ）の時刻情報が第２時間区分開始前の第２時間Ｔ２の範囲内にあるとともに第２時間Ｔ２の範囲内に特に記載事項（スケジュール）が設定されていないことをもって、第５データ（ａｂｃｄｅｆ・・・ｉ）と第６データとの連続性が失われていない（一体として取り扱うべき）とみなされ、ともに第２時間区分側へ対応付けられる。これにより、予定事項が本来の第２時間区分より早く第１時間区分から開始された場合にも、記載内容をまとめて第２時間区分の予定事項に関連づけて操作者の利便性を向上することができる。
【００８４】
なお、記載事項（スケジュール）が入っていない状態において、何らかの筆記内容が上記第１時間Ｔ１以上第２時間以上（１２：１１〜１２：４９）の範囲に存在していた場合、その筆記内容は通常の覚書等のメモ内容であるとして、例えばスケジュール表４０の該当する時間区分に参照スケジュールエリア４１Ｄを表示するとともに、そのエリア内に「メモあり」等のメッセージを表示したうえで、当日メモ表示エリア４２に筆記内容を表示してもよい。
【００８５】
このように、本実施の形態における筆記データ処理プログラムは、被筆記媒体２３に対する操作者の筆記動作に伴って移動する電子ペン２１の複数の位置データと各位置データを検出した時刻情報とを取得する電子筆記装置２０に対し情報送受信可能に接続され、操作部１２と、ＣＰＵ１３と、予め定められた複数の時間区分毎に記載事項を設定可能なスケジュール表４０を表示する表示部１１と、を備えたノートＰＣ１０のＣＰＵ１３に対し、電子筆記装置２０から送信された複数の位置データ、若しくは、複数の位置データを用いて生成され電子ペン２１による被筆記媒体２３への記載に対応した第１画像データを、対応する時刻情報とともに取得する通信制御部１７と、通信制御部１７で取得された複数の位置データより生成され電子ペン２１による被筆記媒体２３への記載に対応した第２画像データ、若しくは、通信制御部１７で取得された第１画像データを、通信制御部１７で取得された対応する時刻情報に沿って、スケジュール表の複数の時間区分のうち該当する１つの区分への記載事項に対応づける、区分処理手順（ステップＳＳ３）と、通信制御部１７で取得された一連の複数の位置データ若しくは一連の第１画像データが、区分処理手順において先の時間区分（第１時間区分）と、この先の時間区分の後に隣接する後の時間区分（第２時間区分）とに跨って対応づけられた場合に、所定の補正条件が満たされることを契機に、先の時間区分及び後の時間区分のうちいずれか一方のみへの記載事項に対応づけるよう、対応付けを補正する補正処理手順（ステップＳＳ４）と、を実行する。
【００８６】
これにより、所定の補正条件が満たされることを条件に、予め作成したスケジュール表におけるスケジュール時間区分通りに記載事項を分けることなく、筆記内容（第２画像データ若しくは第１画像データ）がどのスケジュール行事中に作成されたのかを補正して対応付けることができる。
【００８７】
また、例えば、電子筆記アプリケーションとスケジュールアプリケーションとが同一の装置（スマートフォン等）で利用する場合に比べ、職場や自宅等のパーソナルコンピュータにインストールしたスケジュールアプリケーションやインターネット上に公開しているスケジュールアプリケーション等を用いてスケジュール管理している場合の対応を容易に行うことが可能となるなどの汎用性を向上することができる。
【００８８】
また、例えば、ビジネス用のスケジュールのように、同一の日に、ある程度のスケジュール時間区分で複数のスケジュールを予定し、しかも細かいスケジュール項目（例えば、時間、要件、場所、面会相手など）に加え、議事録的な手書きの筆記内容であっても、これらをそのまま画像データ又はテキストデータに変換して記憶領域の大きいハードディスク（ＨＤＤ１４）に記憶することができるばかりでなく、その記憶領域の大きいハードディスク（ＨＤＤ１４）に対して、数年単位の過去分を蓄積して記憶することができる。
【００８９】
これに対し、スマートフォンやタブレット端末などのように、他のアプリケーションや音楽情報・画像情報といった多くのデータを記憶する利用形態においては、記憶媒体の記憶領域にスケジュール用データを数年単位の過去分として蓄積するには記憶領域に限界がある。
【００９０】
しかも、スマートフォンやタブレット端末などは、携帯性に優れている反面、落としてしまうなどの破損や故障が多いことから、上述した音楽情報・画像情報のようにパーソナルコンピュータ側にバックアップデータを保管する者が多いが、上述したスケジュール表にあっては端末固有のアプリケーションデータに含まれるスケジュールデータをパーソナルコンピュータ側にバックアップデータとして保管することは困難である。
【００９１】
したがって、このような観点においても、本発明の筆記データ処理プログラムにあっては、汎用性に優れ、利便性も向上することができる。
【００９２】
なお、本発明は、上記実施形態に限られるものではなく、その趣旨及び技術的思想を逸脱しない範囲内で種々の変形が可能である。以下、そのような変形例を順を追って説明する。
【００９３】
（１）ＯＣＲ機能がノートＰＣにある場合
例えば、上記実施形態においては、電子筆記装置２０にＯＣＲ機能を具備させて、電子ペン２１による被筆記媒体２３への記載に対応した位置データからテキストデータ（第１画像データ）を生成した場合で説明したが、電子筆記装置２０からは電子ペン２１による被筆記媒体２３への記載に対応した複数の位置データ（例えば、ＸＹプロットデータ等の座標情報＝第２画像データ）と時刻情報とをノートＰＣ１０に送信し、ノートＰＣ側に具備したＯＣＲ機能により位置データをテキストデータに変換して時刻情報と関連付けするようにしてもよい。
【００９４】
これにより、電子筆記装置２０では、複数の位置データと時間情報とをノートＰＣ１０に送信し、ノートＰＣ１０によってテキストデータに変換して手書きメモとして、補正後のスケジュール表に展開することができる。
【００９５】
（２）ストローク間の変更
また、上記実施の形態では、ストローク間を１０秒としたが、例えば、電子筆記装置２０からノートＰＣ１０にデータを送信する前、或いは送信して時間区分に分ける際等の任意又は所定のタイミングにおいて、ストローク間を変更することができるようにすることも可能である。
【００９６】
すなわち、操作者は、その日のスケジュール行事が、予定より早まって開始した、予定より早まって終了した、予定時間をオーバーした、といった条件は既知となっている。
【００９７】
また、操作者は、例えば、予定時間をオーバーしたスケジュール行事において、例えば、プレゼンのために話をしている時間の方が書き込み作業をしている時間よりも多いとすると、タイミング的に１０秒で切り分けたのでは、次の行事に対応付けしてしまう可能性が高くなる。
【００９８】
したがって、操作者は、そのストローク間を、例えば、２０秒や３０秒といった具合に変更可能とすれば、より一層、適正な時間区分に筆記内容を対応付けして補正することが可能となる。
【００９９】
（３）前の時間区分のストロークデータを後の時間区分へ対応付け
また、前の時間区分のスケジュール行事が早めに終了したことにより、後の時間区分のスケジュール行事が早まることにより、スケジュール表の隣接する時間区分が跨る場合も想定される。
【０１００】
このような場合に、後の時間区分に対応付けられるべきストロークデータが前の時間区分内に存在していたら、その前の時間区分内のストロークデータを後の時間区分に対応付けられるように、ストローク間１０秒の他に、第２のストローク間（例えば、１０分よりも短い５分）を設定するようにしてもよい。
【０１０１】
これにより、例えば、前の時間区分内の最後から２番目のストロークデータの終了から前の時間区分内の最後のストロークデータまでの間隔が５分以上離れていることを契機として、後の時間区分のストロークデータとして対応付けすることができる。
【０１０２】
すなわち、前後の時間区分で跨っている場合に、前の時間区分のスケジュール行事が後の時間区分のスケジュール行事に割り込んでいる場合には、１０分までの割り込み時間内でストローク間１０秒の超えていない場合には、前の時間区分のスケジュール行事に対するストロークデータとして対応付けする。
【０１０３】
また、前後の時間区分で跨っている場合に、後の時間区分のスケジュール行事が前の時間区分のスケジュール行事に割り込んでいる場合には、最後の２つのストロークデータの間隔が５分以上開いている場合には、最後のストロークデータを後の時間区分のスケジュール行事に対するストロークデータとして対応付けする。
【０１０４】
（４）リアルタイム送信
上記実施例では、ある日又は複数の時間区分に跨る筆記内容を一括して電子筆記装置２０からノートＰＣ１０に送信した場合で説明したが、電子筆記装置２０とノートＰＣ１０との無線接続が成立していることを条件として、例えば、略リアルタイム（例えば、５分毎やストローク間を検出する毎）にストロークデータを電子筆記装置２０からノートＰＣ１０に送信してもよい。
【０１０５】
そして、時間区分が跨っており、前の時間区分のスケジュール行事がオーバーしている場合に、上述した区分処理手順（ステップＳＳ３）と補正処理手順（ステップＳＳ４）とを実行するようにしてもよい。
【０１０６】
なお、図６に示す手順は本発明を上記手順に限定するものではなく、発明の趣旨及び技術的思想を逸脱しない範囲内で手順の追加・削除又は順番の変更等をしてもよい。
【０１０７】
また、以上既に述べた以外にも、上記実施形態や各変形例による手法を適宜組み合わせて利用しても良い。
【０１０８】
その他、一々例示はしないが、本発明は、その趣旨を逸脱しない範囲内において、種々の変更が加えられて実施されるものである。
【符号の説明】
【０１０９】
１０                ノートＰＣ（処理端末）
１１                表示部（表示手段）
１２                操作部（操作手段）
１３                ＣＰＵ（演算手段）
１７                通信制御部（情報取得手段）
２０                電子筆記装置
２１                電子ペン（筆記具）
２３                被筆記媒体
４０                スケジュール表
【図１】
2015114699.tif 000003
【図２】
2015114699.tif 000004
【図３】
2015114699.tif 000005
【図４】
2015114699.tif 000006
【図５】
2015114699.tif 000007
【図６】
2015114699.tif 000008
【図７】
2015114699.tif 000009